(57)【要約】【課題】軽量で部品数が少なく簡単に組み立てることができる簡易浴槽であって、深さ調節ができ、フットバスとしても使用できる組立式浴槽を低コストにて提供することを課題とする。【解決手段】複数の槽体を鉛直上方向に段重ねして成る組み立て式の浴槽であって、底板１１と側壁１２を有し頂部が解放された１の基槽体１と、側壁２１を有し底部及び頂部が解放された１又は複数の側槽体２と、により構成され、前記基槽体１上に前記１又は複数の側槽体２が載置されることにより前記浴槽が形成されることを特徴とする。  前記基槽体１の上縁部１３、前記側槽体２の下縁部２２及び前記側槽体の上縁部２３は、それぞれ、凸部と凹部を有する樹脂体が係合、密着することにより、槽体同士が接続する構成となっている。【選択図】図１
0003203584.tif 000002
【実用新案登録請求の範囲】
【請求項１】
複数の槽体を鉛直上方向に段重ねして成る組み立て式の浴槽であって、
底板と側壁を有し頂部が解放された１の基槽体と、
側壁を有し底部及び頂部が解放された１又は２以上の側槽体と、
により構成され、前記基槽体上に前記１又は２以上の側槽体が載置されて前記浴槽が形成されることを特徴とする浴槽。
【考案の詳細な説明】
【技術分野】
【０００１】
本考案は、フットバスを兼用する組立式簡易浴槽に関する。
【背景技術】
【０００２】
簡易浴槽としては、特許文献１又は２に記載の発明のように、平面の底板や側板を組み合わせる直方体のものや、空気を注入する円柱型のものがある。
【０００３】
一方、フットバスについては、木製の桶型のものや、足形に近い形状のプラスチック製のものが市販されているが、フットバスと浴槽を兼用するものはない。
【先行技術文献】
【特許文献】
【０００４】
【特許文献１】特開平８−２１５０９１号
【特許文献２】特開２００２−１１３０６３号
【特許文献３】特開２００２−２００１３４号
【特許文献４】実開平６−７５２８８号
【考案の概要】
【考案が解決しようとする課題】
【０００５】
特許文献１又は２に記載の直方体の組立式浴槽は、部品数が多く組み立てに時間がかかるうえ、場所をとるため、使用できる場所が限られる。空気注入式のものは人力で空気を吹き込んだり、フットポンプを使用したりして、体力を要する。
【０００６】
特許文献３又は４に記載の組立式浴槽は、いずれも、円形の底板上にリングを固定し底板とリングの間に布等のシートを張って円筒形の浴槽を形成するものであるが、浴槽本体以外にリングを固定するための部品が必要となる。また、深さと湯水量の調節ができないため、フットバスとの兼用ができない。
【０００７】
上述の問題に鑑み、本考案においては、軽量で部品数が少なく簡単に組み立てることができる簡易浴槽であって、深さ調節ができ、フットバスとしても使用できる組立式浴槽を低コストにて提供することを課題とする。
【課題を解決するための手段】
【０００８】
上記課題を解決するために、本考案に係る組立式簡易浴槽は、複数の槽体を鉛直上方向に段重ねして成る組立式の浴槽であって、底板と側壁を有し頂部が解放された１の基槽体と、側壁を有し底部及び頂部が解放された１又は２以上の側槽体とにより構成され、前記基槽体上に前記１又は２以上の側槽体が載置されることにより前記浴槽が形成されることを特徴とする。
【０００９】
前記基槽体の上縁部、前記側槽体の下縁部及び前記側槽体の上縁部は、それぞれ、凸部と凹部を有する樹脂体が係合、密着することにより、槽体同士が接続する構成となっている。
【００１０】
槽体の材質は軽量のプラスチック等が好ましいが、桶風呂の雰囲気を重視したい場合は、槽体本体を木材とし、接続部のみを防水効果が期待できる軟質の樹脂体を使用するといった構成をとることも可能である。
【考案の効果】
【００１１】
軽量で部品数が少ないため、労力をかけずに浴槽を組み立てて使用することができ、老若男女が扱える使い易さと軽さを実現している。また、場所をとらないため、屋内外どこにでも設置が可能である。
【００１２】
複数の槽体を鉛直上方向に段重ねして成る構成により、使用者の身長等によって深さと湯水量を調整することが可能となる。
【００１３】
基槽体のみの使用によりフットバスとして、また使用する側槽体の数を変えることにより季節や体調に応じて好みの深さの浴槽が実現可能となる。例えば、夏場にはフットバスとして使用しながらシャワーを浴び、冬場にはフットバスに湯を入れて足部を温めたうえで、シャワーを浴びながら側槽体を積み重ね水位を上げていくといった使い方も可能となる。
【００１４】
本浴槽は構成が単純で低コストでの製造・供給が可能であるため、家庭用、介護用、キャンプ用等、新たな市場を創出することが可能となる。
【図面の簡単な説明】
【００１５】
【図１】本実施形態の組立式簡易浴槽の浴槽としての使用状態を示す斜視図である。
【図２】本実施形態の組立式簡易浴槽のフットバスとしての使用状態を示す斜視図である。
【図３】本実施形態の組立式簡易浴槽の略式断面図である。
【図４】（Ａ）、（Ｂ）、（Ｃ）は接続部の実施形態の例を示す拡大断面図である。
【考案を実施するための形態】
【００１６】
本実施形態の組立式簡易浴槽は図１に示すように、円柱桶型の形状を有する組立式浴槽であって、底板１１と側壁１２を有し頂部が解放された基槽体１と、側壁２１を有し底部及び頂部が解放された側槽体２と、同じ構造を有する側槽体３の３点の槽体によって構成される。フットバスとして利用するときは図２に示すように基槽体１のみを使用し、浅い浴槽として利用するときは、基槽体１上に側槽体２を載置し、深い浴槽として利用するときは、側槽体２の上にさらに側槽体３を載置する（図１及び図３）。
【００１７】
基槽体１の上縁部１３、側槽体２の下縁部２２及び上縁部２３、並びに側槽体３の下縁部３２及び上縁部３３は、図４（Ａ）に示すように凸部と凹部を有する略鍵状になっていて、槽体接続時に、高密度ポリエチレン素材の凸部が凹部に嵌合して密着する構成となっている。
【００１８】
各槽体の素材には、軽さと清掃のし易さの観点から、上記接合部同様、高密度ポリエチレンを使用することが望ましいが、桶風呂の雰囲気を出したい場合には、各槽体の側壁１２、２１、３１に軽量の木材を使用することもできる。
【００１９】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、槽体平面の形状は円又は楕円のほか、四角形または多角形とすることもできるし、基槽体及び側槽体の高さや側槽体の数量については変化を加えての実施が可能である。さらに、接続部の形状についても、本実施形態は図４（Ａ）を採用したが、（Ｂ）や（Ｃ）の形状にして実施することもでき、それらについての本実施形態と異なる形態による実施は、本考案の技術的範囲に含まれるものと解する。
【符号の説明】
【００２０】
１      基槽体
１１    底板
１２    側壁
１３    上縁接続部
２      側槽体
２１    側壁
２２    下縁接続部
２３    上縁接続部
３      側槽体
３１    側壁
３２    下縁接続部
３３    上縁接続部
【図１】
0003203584.tif 000003
【図２】
0003203584.tif 000004
【図３】
0003203584.tif 000005
【図４】
0003203584.tif 000006